(57)【要約】【課題】ＷＡＮを介して通信端末が通信を行う通信システムを構築する上で、柔軟性と拡張性に優れた通信手法を提供することを課題とする。【解決手段】クライアント端末１１は、ＬＡＮ１０−２、３０−２のネットワークアドレスと、ルーティング処理を実行するクライアント端末１１、３１の識別情報とを含むルーティンググループ情報９１を作成し、クライアント端末３１と共有する。ルーティンググループ情報９１に基づいて、クライアント端末１１、３１の間にルーティングセッションが確立される。ＬＡＮ１０−２に接続された通信端末が、ＬＡＮ３０−２に接続された通信端末のＩＰアドレスを指定した通信パケットを送出する。通信パケットは、クライアント端末１１によりカプセル化され、ルーティングセッションを利用してルーティングされる。【選択図】図１６
2010268312.tif 000002
【特許請求の範囲】
【請求項１】
第１中継サーバと第２中継サーバとが接続された中継通信システムであって、
前記第１中継サーバおよび前記第２中継サーバは、
前記第１中継サーバ側の第１のＬＡＮのネットワークアドレスと、前記第２中継サーバ側の第２のＬＡＮのネットワークアドレスと、前記第１のＬＡＮのルーティング制御を実行する第１ルーティング装置および前記第２のＬＡＮのルーティング制御を実行する第２ルーティング装置を特定する情報と、を少なくとも含むルーティンググループ情報を、前記第１ルーティング装置および前記第２ルーティング装置と共有するルーティンググループ情報共有部と、
前記第１中継サーバと前記第２中継サーバとを介して前記第１のＬＡＮと前記第２のＬＡＮとの間で通信パケットをルーティングするためのルーティングセッションを、前記ルーティンググループ情報に基づいて前記第１ルーティング装置と前記第２ルーティング装置との間で確立するルーティングセッション確立部と、
を備え、
前記第１のＬＡＮに接続されている通信端末から前記第２のＬＡＮに属するＩＰアドレスを宛先アドレスとした第１通信パケットが送出されると、前記第１ルーティング装置は、前記ルーティンググループ情報を参照することにより前記第１通信パケットを前記第２のＬＡＮにルーティング可能であることを決定し、前記ルーティングセッションを利用して前記第１通信パケットを転送することを特徴とする中継通信システム。
【請求項２】
請求項１に記載の中継通信システムにおいて、
前記第１中継サーバおよび前記第２中継サーバを含む複数の中継サーバが広域ネットワークを介して相互に接続されており、
前記ルーティンググループ情報は、
各中継サーバ側のＬＡＮのネットワークアドレスと、各中継サーバ側のＬＡＮのルーティング制御を実行するルーティング装置を特定する情報、
を含むことを特徴とする中継通信システム。
【請求項３】
請求項１または請求項２に記載の中継通信システムにおいて、
前記第１ルーティング装置は、前記第１中継サーバに接続され、前記第１中継サーバを介して前記第２中継サーバと通信可能なクライアント端末であることを特徴とする中継通信システム。
【請求項４】
請求項１ないし請求項３のいずれかに記載の中継通信システムにおいて、
前記第２ルーティング装置は、前記第２中継サーバであることを特徴とする中継通信システム。
【請求項５】
請求項１または請求項２に記載の中継通信システムにおいて、
前記第１中継サーバと前記第２中継サーバとが同一の装置であり、
前記第１ルーティング装置は、前記第１中継サーバに接続された第１クライアント端末であり、
前記第２ルーティング装置は、前記第１中継サーバに接続された第２クライアント端末であることを特徴とする中継通信システム。
【請求項６】
請求項１ないし請求項５のいずれかに記載の中継通信システムにおいて、
前記ルーティンググループ情報は、
前記第１のＬＡＮに接続されている通信端末のアドレスが登録された許可端末情報、
を含み、
前記第１ルーティング装置は、
前記第１通信パケットの送信元アドレスが前記許可端末情報に登録されている場合、前記第１通信パケットのルーティングを許可することを特徴とする中継通信システム。
【請求項７】
請求項１ないし請求項５のいずれかに記載の中継通信システムにおいて、
前記ルーティンググループ情報は、
前記第２のＬＡＮに接続されている通信端末のアドレスが登録された許可端末情報、
を含み、
前記第１ルーティング装置は、
前記第１通信パケットの送信先アドレスが前記許可端末情報に登録されている場合、前記第１通信パケットのルーティングを許可することを特徴とする中継通信システム。
【発明の詳細な説明】
【技術分野】
【０００１】
本発明は、ＬＡＮ（Ｌｏｃａｌ  Ａｒｅａ  Ｎｅｔｗｏｒｋ）に接続されるクライアント端末同士が、ＷＡＮ（Ｗｉｄｅ  Ａｒｅａ  Ｎｅｔｗｏｒｋ）を超えて通信することを可能にする中継通信システムに関する。
【背景技術】
【０００２】
ＶＰＮ（Ｖｉｒｔｕａｌ  Ｐｒｉｖａｔｅ  Ｎｅｔｗｏｒｋ）を利用することで、クライアント端末は、ＷＡＮを超えて遠隔地にあるクライアント端末と通信することができる。しかし、ＶＰＮは、拡張性および柔軟性のあるネットワークを構築することが困難である。
【０００３】
特許文献１が開示する中継通信システムは、ＶＰＮと同様に、遠隔のＬＡＮが直接に接続されているかのようなネットワークを構築できる。この中継通信システムは、ＬＡＮ同士のグループ関係を動的に変更できるなど、一般的なＶＰＮより、拡張性および柔軟性に優れている。
【先行技術文献】
【特許文献】
【０００４】
【特許文献１】特開２００８−１２９９９１号公報
【発明の概要】
【発明が解決しようとする課題】
【０００５】
特許文献１の中継通信システムでは、各中継サーバが、各ＬＡＮに接続されたクライアント端末の識別情報を共有することで、クライアント端末間での通信を可能としている。具体的には、中継サーバの識別情報とクライアント端末の識別情報との対応付け情報をネットワーク全体で共有することで、クライアント端末間の通信パケットを中継サーバが中継することを可能としている。
【０００６】
本発明は、ＷＡＮを介してクライアント端末が通信を行う通信システムを構築する上で、柔軟性と拡張性に優れた通信手法を提供することを課題とする。
【課題を解決するための手段】
【０００７】
上記課題を解決するため、請求項１記載の発明は、第１中継サーバと第２中継サーバとが接続された中継通信システムであって、前記第１中継サーバおよび前記第２中継サーバは、前記第１中継サーバ側の第１のＬＡＮのネットワークアドレスと、前記第２中継サーバ側の第２のＬＡＮのネットワークアドレスと、前記第１のＬＡＮのルーティング制御を実行する第１ルーティング装置および前記第２のＬＡＮのルーティング制御を実行する第２ルーティング装置を特定する情報と、を少なくとも含むルーティンググループ情報を、前記第１ルーティング装置および前記第２ルーティング装置と共有するルーティンググループ情報共有部と、前記第１中継サーバと前記第２中継サーバとを介して前記第１のＬＡＮと前記第２のＬＡＮとの間で通信パケットをルーティングするためのルーティングセッションを、前記ルーティンググループ情報に基づいて前記第１ルーティング装置と前記第２ルーティング装置との間で確立するルーティングセッション確立部と、を備え、前記第１のＬＡＮに接続されている通信端末から前記第２のＬＡＮに属するＩＰアドレスを宛先アドレスとした第１通信パケットが送出されると、前記第１ルーティング装置は、前記ルーティンググループ情報を参照することにより前記第１通信パケットを前記第２のＬＡＮにルーティング可能であることを決定し、前記ルーティングセッションを利用して前記第１通信パケットを転送することを特徴とする。
【０００８】
請求項２記載の発明は、請求項１に記載の中継通信システムにおいて、前記第１中継サーバおよび前記第２中継サーバを含む複数の中継サーバが広域ネットワークを介して相互に接続されており、前記ルーティンググループ情報は、各中継サーバ側のＬＡＮのネットワークアドレスと、各中継サーバ側のＬＡＮのルーティング制御を実行するルーティング装置を特定する情報、を含むことを特徴とする。
【０００９】
請求項３記載の発明は、請求項１または請求項２に記載の中継通信システムにおいて、前記第１ルーティング装置は、前記第１中継サーバに接続され、前記第１中継サーバを介して前記第２中継サーバと通信可能なクライアント端末であることを特徴とする。
【００１０】
請求項４記載の発明は、請求項１ないし請求項３のいずれかに記載の中継通信システムにおいて、前記第２ルーティング装置は、前記第２中継サーバであることを特徴とする。
【００１１】
請求項５記載の発明は、請求項１または請求項２に記載の中継通信システムにおいて、前記第１中継サーバと前記第２中継サーバとが同一の装置であり、前記第１ルーティング装置は、前記第１中継サーバに接続された第１クライアント端末であり、前記第２ルーティング装置は、前記第１中継サーバに接続された第２クライアント端末であることを特徴とする。
【００１２】
請求項６記載の発明は、請求項１ないし請求項５のいずれかに記載の中継通信システムにおいて、前記ルーティンググループ情報は、前記第１のＬＡＮに接続されている通信端末のアドレスが登録された許可端末情報、を含み、前記第１ルーティング装置は、前記第１通信パケットの送信元アドレスが前記許可端末情報に登録されている場合、前記第１通信パケットのルーティングを許可することを特徴とする。
【００１３】
請求項７記載の発明は、請求項１ないし請求項５のいずれかに記載の中継通信システムにおいて、前記ルーティンググループ情報は、前記第２のＬＡＮに接続されている通信端末のアドレスが登録された許可端末情報、を含み、前記第１ルーティング装置は、前記第１通信パケットの送信先アドレスが前記許可端末情報に登録されている場合、前記第１通信パケットのルーティングを許可することを特徴とする。
【発明の効果】
【００１４】
本発明に係る中継通信システムは、ＬＡＮのネットワークアドレスと、ルーティング装置として機能するクライアント端末または中継サーバに関する情報とを含むルーティンググループ情報に基づいて、ルーティング装置間にルーティングセッションを確立する。ルーティング装置は、ＬＡＮに接続された通信端末から送信された通信パケットのルーティング制御を、ルーティングセッションを利用して実行する。ルーティンググループ情報を用いて、クライアント端末または中継サーバをルーティング装置として機能させることができるため、柔軟にルーティング制御を実行することが可能となる。
【図面の簡単な説明】
【００１５】
【図１】中継通信システムの全体構成の概略図である。
【図２】中継サーバの構成を示す図である。
【図３】クライアント端末の構成を示す図である。
【図４】中継サーバおよびクライアント端末の登録処理の流れを示す図である。
【図５】ステップＳ９の処理に応じて作成される情報を示す図である。
【図６】ステップＳ１０の処理に応じて作成される情報を示す図である。
【図７】ステップＳ１２の処理に応じて作成される情報を示す図である。
【図８】ステップＳ１３の処理に応じて作成される情報を示す図である。
【図９】ステップＳ１４の処理に応じて作成される情報を示す図である。
【図１０】中継グループの構築に関わる処理の流れを示す図である。
【図１１】中継グループの構築の指示に応じて作成される情報を示す図である。
【図１２】ステップＳ２０の処理までに作成される情報を示す図である。
【図１３】中継グループの構築に関わる処理の流れを示す図である。
【図１４】ステップＳ２４の処理までに作成される情報を示す図である。
【図１５】ステップＳ２８の処理までに作成される情報を示す図である。
【図１６】各ＬＡＮの詳細な構成を示す図である。
【図１７】第１ルーティングセッションが確立されるまでの流れを示す図である。
【図１８】ルーティンググループ情報を示す図である。
【図１９】第２ルーティングセッションの確立の流れを示す図である。
【図２０】第３ルーティングセッションの確立の流れを示す図である。
【図２１】第１〜第３ルーティングセッションを利用した通信パケットの転送の流れを示す図である。
【図２２】ルーティンググループ情報を示す図である。
【図２３】第４ルーティングセッションの確立と、第４ルーティングセッションを利用した通信パケットの転送の流れを示す図である。
【図２４】ルーティング処理の終了の流れを示す図である。
【図２５】ルーティンググループ情報を示す図である。
【図２６】ルーティンググループ情報の変更に伴う処理の流れを示す図である。
【図２７】第５、第６ルーティングセッションの確立の流れを示す図である。
【図２８】第５、第６ルーティングセッションを利用した通信パケットの転送の流れを示す図である。
【図２９】ルーティンググループ情報の作成の流れを示すフローチャートである。
【図３０】ルーティング処理の終了の流れを示すフローチャートである。
【図３１】ルーティング処理実行中のクライアント端末の動作を示すフローチャートである。
【発明を実施するための形態】
【００１６】
＜１．中継通信システムの全体構成＞
以下、図面を参照しつつ本発明の実施の形態について説明する。図１は、中継通信システムの全体構成の概略図である。中継通信システムは、ＬＡＮ１、２、３と、ＷＡＮ（Ｗｉｄｅ  Ａｒｅａ  Ｎｅｔｗｏｒｋ）１００とから構成される。ＷＡＮ１００は、インターネットなどの広域ネットワークである。
【００１７】
ＬＡＮ１には、クライアント端末１１、１２と、中継サーバ１３とが接続されている。ＬＡＮ２には、クライアント端末２１と、中継サーバ２２とが接続されている。ＬＡＮ３には、クライアント端末３１、３２と、中継サーバ３３とが接続されている。ＷＡＮ１００には、ＳＩＰ（Ｓｅｓｓｉｏｎ  Ｉｎｉｔｉａｔｉｏｎ  Ｐｒｏｔｏｃｏｌ）サーバ１０１が接続されている。
【００１８】
ＬＡＮ１〜３にそれぞれ接続されるクライアント端末は、パーソナルコンピュータなどである。中継サーバ１３、２２、３３は、異なる二つのＬＡＮにそれぞれ接続されたクライアント端末同士の通信を中継する。ＳＩＰサーバ１０１は、各中継サーバ間の通信を中継する。本実施の形態において、各中継サーバは、他の中継サーバとの通信時にＳＩＰを利用するが、ＳＩＰ以外のプロトコルを利用してもよい。
【００１９】
＜２．中継サーバの構成＞
図２は、中継サーバ１３の構成を示すブロック図である。中継サーバ１３は、インタフェース部１３１と、制御部１３２と、データベース格納部１３３とから構成される。中継サーバ２２、３３の構成は、中継サーバ１３と同様である。
【００２０】
インタフェース部１３１は、プライベートＩＰ（Ｉｎｔｅｒｎｅｔ  Ｐｒｏｔｏｃｏｌ）アドレスを利用して、クライアント端末１１、１２と通信を行う。インタフェース部１３１は、グローバルＩＰアドレスを利用して、ＳＩＰサーバ１０１と通信を行う。
【００２１】
制御部１３２は、データベース格納部１３３に格納される各種データベースを管理する。データベース格納部１３３は、中継グループ情報格納部１３４と、中継サーバ情報格納部１３５と、クライアント端末情報格納部１３６と、ルーティンググループ情報格納部１３７とから構成される。
【００２２】
＜３．クライアント端末の構成＞
図３は、クライアント端末１１の構成を示す図である。クライアント端末１１は、インタフェース部１１１と、制御部１１２と、操作部１１３と、モニタ１１４と、データベース格納部１１５とを備える。なお、クライアント端末１２、２１、３１、３２の構成は、クライアント端末１１と同様である。
【００２３】
インタフェース部１１１は、プライベートＩＰアドレスを用いて、中継サーバ１３との通信を行う。
【００２４】
制御部１１２は、ＬＡＮドライバ１９１、ＬＡＮ側ＩＰパケット処理部１９２、ＷＡＮ側ＩＰパケット処理部１９３、ルーティング制御部１９４、ルーティングセッション処理部１９５、ルーティングセッション部１９６を備える。
【００２５】
ＬＡＮドライバ１９１は、インタフェース部１１１を制御するドライバソフトウェアである。ＬＡＮ側ＩＰパケット処理部１９２は、クライアント端末１２などから受信した通信パケットを処理し、ルーティング制御部１９４に出力する。ルーティング制御部１９４は、データベース格納部１１５に格納された情報に基づいて、通信パケットのルーティング先を決定する。ルーティングセッション処理部１９５は、データベース格納部１１５に格納された情報に基づいて、通信パケットを中継すべきルーティングセッションを決定し、ルーティングセッションＸ部１９６に出力する。ルーティングセッションＸは、特定の中継サーバまたはクライアント端末との間に確立されるメディアセッションである。ルーティングセッションＸ部１９６は、は、通信パケットをＷＡＮ側ＩＰパケット処理部１９３に出力する。ＷＡＮ側ＩＰパケット処理部１９３は、ルーティングセッションＸを介した通信パケットの送受信を行う。
【００２６】
操作部１１３は、キーボードおよびマウスなどであり、クライアント端末３１に対する指示を受け付ける。モニタ１１４は、液晶ディスプレイなどである。
【００２７】
データベース格納部１１５は、中継グループ情報格納部１１７と、中継サーバ情報格納部１１８と、ルーティンググループ情報格納部１１９とから構成される。
【００２８】
以下、図１に示す中継通信システムの処理の流れについて、中継グループの構築、ルーティング処理の順に説明する。
【００２９】
＜４．中継グループの構築＞
図４は、中継グループに参加する中継サーバおよびクライアント端末を登録する処理の流れを示す図である。中継サーバ１３、２２、３３の各管理者は、ＬＡＮ１、２、３の相互間において中継通信システムのグループを構築することを取り決めている。
【００３０】
＜４．１．中継サーバとクライアント端末の登録＞
まず、中継サーバ１３の管理者は、中継サーバ１３の識別情報およびグローバルＩＰアドレスをＳＩＰサーバ１０１に登録する（ステップＳ１）。同様に、中継サーバ２２、３３の各管理者が、中継サーバ２２、３３の識別情報およびグローバルＩＰアドレスをＳＩＰサーバ１０１にそれぞれ登録する（ステップＳ２、Ｓ３）。
【００３１】
ＳＩＰサーバ１０１は、各中継サーバの識別情報とグローバルＩＰアドレスとを対応付けて管理する。これにより、ＳＩＰサーバ１０１は、各中継サーバのグローバルＩＰアドレスを用いて中継サーバ間の通信を中継することが可能となる。
【００３２】
次に、各クライアント端末のアカウントが作成される（ステップＳ４〜Ｓ８）。具体的には、中継サーバ１３の管理者が、クライアント端末１１のユーザに対してアカウントを作成し（ステップＳ４）、クライアント端末１２のユーザに対してアカウントを作成する（ステップＳ５）。中継サーバ１３は、中継サーバ１３の詳細を示す中継サーバ情報５１−１と、クライアント端末１１、１２の詳細を示すクライアント端末情報６１を作成する。中継サーバ情報５１−１およびクライアント端末情報６１は、中継サーバ情報格納部１３５およびクライアント端末情報格納部１３６にそれぞれ格納される。
【００３３】
同様に、中継サーバ２２の管理者は、クライアント端末２１のユーザに対してアカウントを作成する（ステップＳ６）。中継サーバ２２は、中継サーバ２２の詳細を示す中継サーバ情報５１−２と、クライアント端末２１の詳細を示すクライアント端末情報７１とを作成する。
【００３４】
中継サーバ３３の管理者は、クライアント端末３１のユーザに対してアカウントを作成し（ステップＳ７）、クライアント端末３２のユーザに対してアカウントを作成する（ステップＳ８）。中継サーバ３３は、中継サーバ３３の詳細を示す中継サーバ情報５１−３と、クライアント端末３１、３２の詳細を示すクライアント端末情報８１とを作成する。
【００３５】
＜４．２．クライアント端末のログオン処理＞
クライアント端末のユーザのアカウントが作成された後で、各クライアント端末が、中継サーバにログオンする（ステップＳ９〜Ｓ１５）。なお、各クライアント端末がログオンする順序は、以下に説明する順序でなくてもよい。
【００３６】
まず、クライアント端末１１、１２のログオン（ステップＳ９〜Ｓ１１）について説明する。クライアント端末１１のユーザは、クライアント端末１１の識別情報およびパスワードを入力し、中継サーバ１３にログオンする（ステップＳ９）。クライアント端末１１のログオンに応じて、中継サーバ情報５１−１およびクライアント端末情報６１が更新される。クライアント端末１１は、中継サーバ１３へのログオンの応答として、中継サーバ情報５１−１を受信する。
【００３７】
図５は、ステップＳ９に示す処理の後で中継サーバ１３が保持する情報を示す図である。中継サーバ情報５１−１は、中継サーバ１３に関する上位情報５１１−１と、クライアント端末１１、１２に関する下位情報５１２−１とから構成される。
【００３８】
上位情報５１１−１において、「ｉｄ」および「ｎａｍｅ」は、中継サーバ情報１３の識別情報および名称を示す。「ｉｄ」には、中継サーバ１３の識別情報「ｒｅｌａｙ−ｓｅｒｖｅｒ−１＠ａｂｃ．ｎｅｔ」が設定されている。起動情報５１３−１には、中継サーバ１３が起動中であることを示す「ａｃｔｉｖｅ」が設定されている。
【００３９】
下位情報５１２−１には、クライアント端末１１、１２のそれぞれに対応する二つのｎｏｄｅタグが作成される。各ｎｏｄｅタグにおいて、「ｄｉｖ」、「ｉｄ」、および「ｎａｍｅ」は、クライアント端末の設置部署名、識別情報、および名称を示す。これらの情報は、クライアント端末情報６１の作成時に設定される。「ｇｒｏｕｐ」は、クライアント端末が参加する中継グループを示す。サイト情報５１４−１は、クライアント端末のログオン先の中継サーバの識別情報を示す。
【００４０】
下位情報５１２−１の各ｎｏｄｅタグの「ｇｒｏｕｐ」は、この時点で中継グループが構築されていないため、空欄である。下位情報５１２−１の上側のｎｏｄｅタグは、クライアント端末１１に対応し、「ｉｄ」としてクライアント端末１１の識別情報「ｃｌｉｅｎｔ−１１＠ｒｅｌａｙ−ｓｅｒｖｅｒ−１．ａｂｃ．ｎｅｔ」が設定されている。サイト情報５１４−１には、クライアント端末１１のログオンに伴って、中継サーバ１３の識別情報が設定される。
【００４１】
下位情報５１２−１の下側のｎｏｄｅタグは、クライアント端末１２に対応し、「ｉｄ」としてクライアント端末１２の識別情報「ｃｌｉｅｎｔ−１２＠ｒｅｌａｙ−ｓｅｒｖｅｒ−１．ａｂｃ．ｎｅｔ」が設定されている。サイト情報５１４−１は、クライアント端末１２がログオンしていないため、空欄である。
【００４２】
クライアント端末情報６１には、クライアント端末１１、１２のそれぞれに対応する二つのｎｏｄｅタグが作成される。クライアント端末情報６１の各ｎｏｄｅタグにおいて、「ｄｉｖ」、「ｉｄ」、「ｎａｍｅ」、および「ｐａｓｓ」は、クライアント端末の設置部署名、識別情報、名称、およびパスワードを示す。これらの情報は、クライアント端末情報６１の作成時に設定される。「ｇｒｏｕｐ」は、クライアント端末が参加する中継グループを示す。アドレス情報６１１、有効期限情報６１２、およびポート情報６１３は、クライアント端末のＩＰアドレス、レジスト有効期限、およびポート番号を示し、各クライアント端末がログオンした際に設定される。
【００４３】
クライアント端末情報６１において、各ｎｏｄｅタグの「ｇｒｏｕｐ」は、中継グループが構築されていないため、空欄である。クライアント端末情報６１の上側のｎｏｄｅタグは、クライアント端末１１に対応し、「ｉｄ」としてクライアント端末１１の識別情報が設定されている。クライアント端末１１がログオンする（ステップＳ９）ことにより、アドレス情報６１１、有効期限情報６１２、およびポート情報６１３に、「１９２．１６８．１．１１」、「１２１３」、および「５０７０」がそれぞれ設定される。
【００４４】
クライアント端末情報６１の下側のｎｏｄｅタグは、クライアント端末１２に対応し、「ｉｄ」としてクライアント端末１２の識別情報が設定されている。ステップＳ９の時点でクライアント端末１２が中継サーバ１３にログオンしていないため、アドレス情報６１１は空欄である。また、有効期限情報６１２およびポート情報６１３には、「０」が設定される。
【００４５】
クライアント端末１１のログオン（ステップＳ９）の後で、クライアント端末１２のユーザは、クライアント端末１２の識別情報およびパスワードを入力し、中継サーバ１３にログオンする（ステップＳ１０）。
【００４６】
中継サーバ１３は、クライアント端末１２のログオンに伴って、中継サーバ情報５１−１およびクライアント端末情報６１を、中継サーバ情報５２−１およびクライアント端末情報６２にそれぞれ更新する。クライアント端末１２は、中継サーバ１３へのログオンの応答として、中継サーバ情報５２−１を受信する。
【００４７】
図６は、ステップＳ１０に示す処理の後で中継サーバ１３が保持する情報を示す図である。クライアント端末１２のログオンに伴う更新箇所に下線を付している。
【００４８】
クライアント端末１２のログオンにより、下位情報５２２−１の下側のｎｏｄｅタグのサイト情報５２４−１において、中継サーバ１３の識別情報が設定される。クライアント端末情報６２の下側のｎｏｄｅタグでは、アドレス情報６２１、有効期限情報６２２、およびサイト情報６２３に、「１９２．１６８．２．２２」、「１２１３」、および「５０７０」がそれぞれ設定される。
【００４９】
クライアント端末１２のログオンの後に、中継サーバ１３は、中継サーバ情報５２−１をクライアント端末１１に送信する（ステップＳ１１）。これにより、クライアント端末１１が保持する中継サーバ情報５１−１が、中継サーバ情報５２−１に更新される。
【００５０】
次に、クライアント端末２１のログオン（ステップＳ１２）について説明する。クライアント端末２１のユーザは、クライアント端末２１の識別情報およびパスワードを入力し、中継サーバ２２にログオンする（ステップＳ１２）。中継サーバ２２は、クライアント端末２１のログオンに伴って、中継サーバ情報５１−２およびクライアント端末情報７１を更新する。クライアント端末２１は、中継サーバ２２へのログオンの応答として、中継サーバ情報５１−２を受信する。
【００５１】
図７は、ステップＳ１２の処理の後で中継サーバ２２が保持する情報を示す図である。中継サーバ情報５１−２は、上位情報５１１−２と、下位情報５１２−２とから構成される。上位情報５１１−２の「ｉｄ」には、中継サーバ２２の識別情報「ｒｅｌａｙ−ｓｅｒｖｅｒ−２＠ａｂｃ．ｎｅｔ」が登録される。起動情報５１３−２には、中継サーバ２２が起動中であることを示す「ａｃｔｉｖｅ」が設定されている。
【００５２】
下位情報５１２−２およびクライアント端末情報７１の各ｎｏｄｅタグの「ｇｒｏｕｐ」は、中継グループが構築されていないため、空欄である。
【００５３】
下位情報５１２−２のｎｏｄｅタグには、クライアント端末２１に関する情報が登録される。「ｉｄ」には、クライアント端末２１の識別情報「ｃｌｉｅｎｔ−２１＠ｒｅｌａｙ−ｓｅｒｖｅｒ−２．ａｂｃ．ｎｅｔ」が登録されている。クライアント端末２１のログオンに伴って、サイト情報５１４−２に中継サーバ２２の識別情報が設定される。
【００５４】
クライアント端末情報７１において、ｎｏｄｅタグは、クライアント端末２１に対応し、「ｉｄ」としてクライアント端末２１の識別情報が設定される。クライアント端末２１のログオンに伴って、アドレス情報７１１、有効期限情報７１２、およびポート情報７１３に、「１７２．１６．１．２１」、「１２１３」、および「５０７０」がそれぞれ登録される。
【００５５】
次に、クライアント端末３１、３２のログオン処理（ステップＳ１３〜Ｓ１５）について説明する。クライアント端末３１のユーザは、クライアント端末３１の識別情報およびパスワードを入力し、中継サーバ３３にログオンする（ステップＳ１３）。クライアント端末３１のログオンに応じて、中継サーバ情報５１−３およびクライアント端末情報８１が更新される。クライアント端末３１は、ステップＳ１３の応答として中継サーバ情報５１−３を受信し、中継サーバ情報格納部３１８に格納する。
【００５６】
図８は、ステップＳ１３の処理の後で中継サーバ３３が保持する情報を示す図である。中継サーバ情報５１−３は、上位情報５１１−３と、下位情報５１２−３とから構成される。上位情報５１１−３には、「ｉｄ」として、中継サーバ３３の識別情報「ｒｅｌａｙ−ｓｅｒｖｅｒ−３＠ａｂｃ．ｎｅｔ」が登録される。起動情報５１３−３には、中継サーバ３３が起動中であることを示す「ａｃｔｉｖｅ」が設定されている。
【００５７】
下位情報５１２−３およびクライアント端末情報８１の各ｎｏｄｅタグの「ｇｒｏｕｐ」は、中継グループが構築されていないため、空欄である。
【００５８】
下位情報５１２−３の上側のｎｏｄｅタグは、クライアント端末３１に対応し、「ｉｄ」としてクライアント端末３１の識別情報「ｃｌｉｅｎｔ−３１＠ｒｅｌａｙ−ｓｅｒｖｅｒ−３．ａｂｃ．ｎｅｔ」が設定されている。サイト情報５１４−３は、クライアント端末３１がログオンすることにより、中継サーバ３３の識別情報が設定される。
【００５９】
下位情報５１２−３の下側のｎｏｄｅタグは、クライアント端末３２に対応し、「ｉｄ」としてクライアント端末３２の識別情報「ｃｌｉｅｎｔ−３２＠ｒｅｌａｙ−ｓｅｒｖｅｒ−３．ａｂｃ．ｎｅｔ」が設定されている。サイト情報５１４−３は、クライアント端末３２がログオンしていないため、空欄である。
【００６０】
クライアント端末情報８１の上側のｎｏｄｅタグは、クライアント端末３１に対応し、「ｉｄ」にクライアント端末３１の識別情報が設定されている。クライアント端末３１のログオンに伴って、アドレス情報８１１、有効期限情報８１２、およびポート情報８１３に、「２００．１．２．３１」、「１２１３」、および「５０７０」がそれぞれ設定されている。
【００６１】
クライアント端末情報８１の下側のｎｏｄｅタグは、クライアント端末３２に対応し、「ｉｄ」としてクライアント端末３２の識別情報が設定されている。クライアント端末３２がログオンしていないため、アドレス情報８１１は空欄である。また、有効期限情報８１２、およびポート情報８１３には、「０」が設定されている。
【００６２】
クライアント端末３１のログオン（ステップＳ１３）の後で、クライアント端末３２のユーザが、クライアント端末３２の識別情報およびパスワードを入力し、中継サーバ３３にログオンする（ステップＳ１４）。
【００６３】
中継サーバ３３は、クライアント端末３２のログオンに伴って、中継サーバ情報５１−３およびクライアント端末情報８１を、中継サーバ情報５２−３およびクライアント端末情報８２にそれぞれ更新する。クライアント端末３２は、中継サーバ情報５２−３をステップＳ１４の応答として受信する。
【００６４】
図９は、ステップＳ１４の処理の後で中継サーバ３３が保持する情報を示す図である。クライアント端末３２のログオンに伴う更新箇所に下線を付している。
【００６５】
下位情報５２２−３の下側のｎｏｄｅタグのサイト情報５２４−３において、中継サーバ３３の識別情報が設定される。また、クライアント端末情報８２の下側のｎｏｄｅタグでは、アドレス情報８２１、有効期限情報８２２、およびサイト情報８２３に、「２００．１．３．１３２」、「１２１３」、および「５０７０」がそれぞれ設定される。
【００６６】
クライアント端末３２のログオンの後に、中継サーバ３３は、中継サーバ情報５２−３をクライアント端末３１に送信する（ステップＳ１５）。クライアント端末３１は、中継サーバ情報格納部３１８に格納された中継サーバ情報５１−３を、中継サーバ情報５２−３に更新する。
【００６７】
＜４．３．中継グループ情報の作成＞
図１０は、中継グループの構築に関する処理の流れを示す図である。図１０では、クライアント端末２２、３３の表示を省略している。
【００６８】
ステップＳ１５に示す処理の後に、中継サーバ１３の管理者は、中継サーバ１３、２２、３３の識別情報を入力し、中継サーバ１３に中継グループの構築を指示する。中継サーバ１３は、中継グループ情報４１を新たに作成し、中継グループ情報格納部１３４に格納する。
【００６９】
図１１は、中継グループの構築が指示された後に、中継サーバ１３が保持する情報を示す図である。中継サーバ情報５２−１およびクライアント端末情報６２は、図６から変化していない。
【００７０】
中継グループ情報４１は、中継グループに関する上位情報４１１と、中継グループに参加する中継サーバに関する下位情報４１２とから構成される。上位情報４１１において、「ｉｄ」には、中継グループの識別情報「ｇｒｏｕｐ−ａ＠ｒｅｌａｙ−ｓｅｒｖｅｒ−１．ａｂｃ．ｎｅｔ」が設定されている。「ｌａｓｔｍｏｄ」および「ｎａｍｅ」は、中継グループ情報４１の最終更新時刻および中継グループの名称を示す。また、下位情報４１２の各ｓｉｔｅタグには、中継サーバ１３、２２、３３の識別情報が設定される。
【００７１】
中継サーバ１３は、ＳＩＰサーバ１０１を介して、中継サーバ１３、２２、３３が参加した中継グループの構築を、中継サーバ２２に要求する（ステップＳ１６、Ｓ１６．１）。同様に、中継サーバ１３は、ＳＩＰサーバ１０１を介して、中継サーバ３３に中継グループの構築を要求する（ステップＳ１７、Ｓ１７．１）。中継グループの構築要求の際に、中継グループ情報４１が中継サーバ２２、３３に送信される。
【００７２】
＜４．４．中継サーバ情報の合成＞
次に、中継サーバ１３は、ＳＩＰサーバ１０１を介して、中継サーバ情報５１−２の送信を中継サーバ２２に要求し（ステップＳ１８、Ｓ１８．１）、中継サーバ情報５２−３の送信を中継サーバ３３に要求する（ステップＳ１９、Ｓ１９．１）。中継サーバ１３は、中継サーバ情報５２−１、５１−２、５２−３を合成して、中継サーバ情報５３を作成する。クライアント端末情報６２が、クライアント端末情報６３に更新される。中継サーバ情報格納部１３５には、中継サーバ情報５２−１、５３が格納される。
【００７３】
図１２は、ステップＳ１９の処理の後で中継サーバ１３が保持する情報を示す図である。ステップＳ１８に示す処理に伴う更新箇所に、下線を付している。
【００７４】
中継サーバ情報５３において、上位情報５３１−１と下位情報５３２−１とは、図６に示す上位情報５２１−１と下位情報５２２−１とに対応する。同様に、上位情報５３１−２と下位情報５３２−２とは、図７に示す上位情報５１１−２と下位情報５１２−２とに対応する。上位情報５３１−３と下位情報５３２−３とは、図９に示す上位情報５２１−３と下位情報５２２−３とに対応する。
【００７５】
中継グループの構築に伴って、下位情報５３２−１、５３２−２、５３２−３の各ｎｏｄｅタグの「ｇｒｏｕｐ」と、クライアント端末情報６３の各ｎｏｄｅタグの「ｇｒｏｕｐ」とに、中継グループの識別情報が設定される。
【００７６】
中継サーバ１３は、クライアント端末情報６３を参照して、クライアント端末１１、１２がログオン中であることを確認する。中継グループ情報４１および中継サーバ情報５３が、クライアント端末１１、１２に送信される（ステップＳ２０、Ｓ２１）。
【００７７】
図１３は、中継グループの構築におけるステップＳ２２以降の処理の流れを示す図である。図１３では、クライアント端末１１、１２の表示を省略している。
【００７８】
中継サーバ２２は、ＳＩＰサーバ１０１を介して、中継サーバ情報５２−１の送信を中継サーバ１３に要求し（ステップＳ２２、Ｓ２２．１）、中継サーバ情報５２−３の送信を中継サーバ３３に要求する（ステップＳ２３、Ｓ２３．１）。中継サーバ２２は、中継サーバ情報５２−１、５１−２、５２−３を合成して、中継サーバ情報５３を作成する。クライアント端末情報７１が、クライアント端末情報７２に更新される。中継サーバ２２は、中継サーバ情報５１−２を引き続き保持している。
【００７９】
図１４は、ステップＳ２３に示す処理の後で中継サーバ２２が保持する情報を示す図である。ステップＳ２３に示す処理に伴う変更箇所に、下線を付している。クライアント端末情報７２の「ｇｒｏｕｐ」に、中継グループの識別情報が新たに設定される。
【００８０】
中継サーバ２２は、クライアント端末情報７２を参照して、クライアント端末２１がログオン中であることを確認する。中継グループ情報４１および中継サーバ情報５３がクライアント端末２１に送信される（ステップ２４）。
【００８１】
次に、中継サーバ３３が、ＳＩＰサーバ１０１を介して、中継サーバ情報５２−１の送信を中継サーバ１３に要求し（ステップＳ２５、Ｓ２５．１）、中継サーバ情報５１−２の送信を中継サーバ２２に要求する（ステップＳ２６、Ｓ２６．１）。中継サーバ３３は、中継サーバ情報５２−１、５１−２、５２−３を合成して、中継サーバ情報５３を作成する。クライアント端末情報８２が、クライアント端末情報８３に更新される。
【００８２】
図１５は、ステップＳ２６に示す処理の後で中継サーバ３３が保持する情報を示す図である。ステップＳ２６の処理に伴う変更箇所を下線で示す。クライアント端末情報８３の各ｎｏｄｅタグの「ｇｒｏｕｐ」に、中継グループの識別情報が新たに設定される。
【００８３】
中継サーバ３３は、クライアント端末情報８３を参照して、クライアント端末３１、３２がログオンしていることを確認する。中継グループ情報４１および中継サーバ情報５３がクライアント端末３１、３２にそれぞれ送信される（ステップＳ２７、Ｓ２８）。
【００８４】
ここまでの処理により、クライアント端末１１、１２、２１、３１、３２と、中継サーバ１３、２２、３３とが参加した中継グループが構築される。中継グループに参加するコンピュータは、中継グループ情報４１および中継サーバ情報５３を参照して、中継グループの構成、あるいは各コンピュータの動作状態などを確認することができる。
【００８５】
＜５．ルーティング処理の流れ（第１の実施の形態）＞
図１に示す中継通信システムにおける、第１の実施の形態に係るルーティング処理について説明する。
【００８６】
＜５．１．ＬＡＮの詳細な構成＞
図１６は、ＬＡＮ１〜３の詳細な構成を示す図である。図１６において、ＳＩＰサーバ１０１の表示を省略している。ＬＡＮ１〜３には、クライアント端末として機能しないパーソナルコンピュータである一般端末が接続されている。
【００８７】
ＬＡＮ１は、ＬＡＮ１０−１とＬＡＮ１０−２とが汎用ルータ１４を介して接続された構成である。ＬＡＮ１０−１には、クライアント端末１１と、中継サーバ１３と、一般端末１５とが接続されている。ＬＡＮ１０−２には、クライアント端末１２と、一般端末１６とが接続されている。ＬＡＮ１０−１、１０−２のネットワークアドレスは、「１９２．１６８．１．０／２４」、「１９２．１６８．２．０／２４」である（末尾の２４はサブネットマスクである）。
【００８８】
ＬＡＮ２には、クライアント端末２１および中継サーバ２２の他に、一般端末２３が接続されている。ＬＡＮ２のネットワークアドレスは、「１９２．１００．１．０／２４」である。
【００８９】
ＬＡＮ３は、ＬＡＮ３０−１とＬＡＮ３０−２とが汎用ルータ３４を介して接続され、ＬＡＮ３０−１とＬＡＮ３０−３とが汎用ルータ３５を介して接続された構成である。ＬＡＮ３０−１には、中継サーバ３３が接続されている。ＬＡＮ３０−２には、クライアント端末３１と、一般端末３６とが接続され、ＬＡＮ３０−３には、クライアント端末３２と一般端末３７とが接続されている。ＬＡＮ３０−２、３０−３のネットワークアドレスは、「２００．１．２．０／２４」、「２００．１．３．０／２４」である。
【００９０】
＜５．２．ルーティンググループ情報の共有＞
本実施の形態に係るルーティング処理で使用するルーティンググループ情報９１の共有について説明する。
【００９１】
図１７を参照する。クライアント端末１１のユーザが、第１ルーティンググループの構築を指示する。クライアント端末１１は、ユーザの指示に応じて作成したルーティンググループ情報９１を、ルーティンググループ情報格納部１１９に格納する。クライアント端末１１は、ルーティンググループ情報９１を中継サーバ１３に送信して（ステップＳ３１）、第１ルーティンググループの構築を通知する。中継サーバ１３は、受信したルーティンググループ情報９１を、ルーティンググループ情報格納部１３７に格納する。
【００９２】
図１８は、ルーティンググループ情報９１を示す図である。ルーティンググループ情報９１は、本体情報９１１と、ルーティング対象情報９１２と、ルーティング許可情報９１３と、セッション情報９１４とから構成される。
【００９３】
本体情報９１１は、ルーティンググループ情報９１自体に関する情報である。「ｇｒｏｕｐ」は、中継グループの識別情報を示す。「ｉｄ」、「ｌａｓｔｍｏｄ」、「ｎａｍｅ」、および「ｏｗｎｅｒ」は、ルーティンググループ情報９１の識別情報、最終更新時刻、名称、および作成元を示す。
【００９４】
ルーティング対象情報９１２は、ルーティング対象のネットワークに関する情報であり、ネットワーク情報９１２−１〜９１２−３から構成される。各ネットワーク情報において、「ａｄｄｒ」は、ルーティング対象のネットワークのネットワークアドレスを示す。「ｒｏｕｔｅｒ」は、「ａｄｄｒ」に設定されたネットワークからのＩＰパケットをルーティングするクライアント端末を示す。
【００９５】
ネットワーク情報９１２−１では、「ａｄｄｒ」としてＬＡＮ１０−２のネットワークアドレスが、「ｒｏｕｔｅｒ」としてクライアント端末１１の識別情報が設定される。ネットワーク情報９１２−２では、「ａｄｄｒ」としてＬＡＮ２のネットワークアドレスが、「ｒｏｕｔｅｒ」としてクライアント端末２１の識別情報が設定される。ネットワーク情報９１２−３では、「ａｄｄｒ」としてＬＡＮ３０−２のネットワークアドレスが、「ｒｏｕｔｅｒ」としてクライアント端末３１の識別情報が設定される。つまり、クライアント端末１１、２１、３１が、ルーティング装置として機能するように設定されている。
【００９６】
ルーティング許可情報９１３は、中継通信システムのルーティング機能を利用することができる通信端末を示し、許可端末情報９１３−１〜９１３−３から構成される。ここで、「通信端末」とは、ＬＡＮ１〜３にそれぞれ接続された全ての中継サーバ、クライアント端末および一般端末を指す。たとえば、ＬＡＮ１では、クライアント端末１１、１２と、中継サーバ１３と、一般端末１５、１６とが通信端末に該当する。このように、中継通信システムを構成しない一般端末であっても、中継通信システムのルーティング機能を利用することができる。
【００９７】
各許可端末情報において、「ｎａｍｅ」および「ａｄｄｒ」は、ルーティング機能を利用できる通信端末の名称およびＩＰアドレスを示す。許可端末情報９１３−１は、一般端末１６に対応し、「ａｄｄｒ」として「１９２．１６８．２．１５０」が設定されている。許可端末情報９１３−２は、一般端末２３に対応し、「ａｄｄｒ」として「１９２．１００．１．１５０」が設定されている。許可端末情報９１３−３には、「ａｄｄｒ」として、ＬＡＮ３０−２に接続された全通信端末がルーティング機能を利用できることを示す「２００．１．２．＊」が設定されている。なお、許可端末情報９１３−１〜９１３−２には、一般端末の識別情報が設定されているが、クライアント端末および中継サーバの識別情報を設定してもよい。
【００９８】
セッション情報９１４は、通信パケットのルーティングに用いるルーティングセッションに関するポイント情報９１４−１〜９１４−３から構成される。各ポイント情報の「ｓｔａｒｔ」および「ｅｎｄ」は、ルーティングセッションの始点および終点を示す。
【００９９】
ポイント情報９１４−１〜９１４−３が作成されているため、第１ルーティンググループでは、三つのルーティングセッションが確立される。ポイント情報９１４−１は、第１ルーティングセッションに対応し、「ｓｔａｒｔ」、「ｅｎｄ」にクライアント端末１１、２１の識別情報が設定されている。ポイント情報９１４−２は、第２ルーティングセッションに対応し、「ｓｔａｒｔ」、「ｅｎｄ」にクライアント端末１１、３１の識別情報が設定されている。ポイント情報９１４−３は、第３ルーティングセッションに対応し、「ｓｔａｒｔ」、「ｅｎｄ」にクライアント端末２１、３１の識別情報が設定されている。
【０１００】
再び、図１７を参照する。中継サーバ１３は、ルーティング装置として機能するクライアント端末２１、３１に、第１ルーティンググループの構築を通知する。具体的には、中継サーバ１３は、ＳＩＰサーバ１０１と中継サーバ２２とを介して、ルーティンググループ情報９１をクライアント端末２１に送信する（ステップＳ３２、Ｓ３２．１、およびＳ３２．１．１）。同様に、ルーティンググループ情報９１が、ＳＩＰサーバ１０１と中継サーバ３３とを介して、クライアント端末３１に送信される（ステップＳ３３、Ｓ３３．１、およびＳ３３．１．１）。これにより、中継サーバ１３、２２、３３と、ルーティング装置として機能するクライアント端末１１、２１、３１とが、ルーティンググループ情報９１を共有する。
【０１０１】
＜５．３．ルーティングセッションの確立＞
次に、第１〜第３ルーティングセッションが確立される。クライアント端末１１が、ポイント情報９１４−１、９１４−２を参照して、自端末が第１、第２ルーティングセッションの始点に設定されていることを確認する。
【０１０２】
クライアント端末１１は、クライアント端末１１、２１の間に第１ルーティングセッションを確立するために、第１ルーティングセッションの確立要求を中継サーバ１３に送信する（ステップＳ３４）。クライアント端末１１は、中継サーバ１３からの応答に応じて、ＡＣＫを中継サーバ１３に送信する（ステップＳ３５）。中継サーバ３３は、ＡＣＫに応じて、クライアント端末１１と中継サーバ１３との間にメディアセッションを確立する（ステップＳ３６）。
【０１０３】
ステップＳ３６の後に、中継サーバ１３が、ＳＩＰサーバ１０１を介して、第１ルーティングセッションの確立要求を中継サーバ２２に送信する（ステップＳ３７、Ｓ３７．１）。中継サーバ１３は、中継サーバ２２からの応答に応じて、ＡＣＫをＳＩＰサーバ１０１を介して中継サーバ２２に送信する（ステップＳ３８、Ｓ３８．１）。中継サーバ１３は、ＡＣＫに応じて、中継サーバ１３、２２の間にメディアセッションを確立する（ステップＳ３９）。
【０１０４】
ステップＳ３９の後に、クライアント端末２１と中継サーバ２２との間にメディアセッションが確立される（ステップＳ４０、Ｓ４１、およびＳ４２）。これらの処理は、ステップＳ３４〜Ｓ３６と同様である。
【０１０５】
ステップＳ３６、Ｓ３９、およびＳ４２で確立された三つのメディアセッションにより、第１ルーティングセッションが構成される。
【０１０６】
図１９を参照する。第１ルーティングセッションの確立と同様に、クライアント端末１１、３１の間に第２ルーティングセッションが確立される。クライアント端末１１と中継サーバ１３との間に、メディアセッションが確立される（ステップＳ４３、Ｓ４４、およびＳ４５）。中継サーバ１３、３３の間にメディアセッションが確立される（ステップＳ４６、Ｓ４６．１、Ｓ４７、Ｓ４７．１、およびＳ４８）。クライアント端末３１と中継サーバ３３との間にメディアセッションが確立される（ステップＳ４９、Ｓ５０、およびＳ５１）。ステップＳ４５、Ｓ４８、およびＳ５１で確立された三つのメディアセッションにより、第２ルーティングセッションが構成される。
【０１０７】
クライアント端末２１は、ポイント情報９１４−３を参照して、自端末が第３ルーティングセッションの始点に設定されていることを確認する。そして、クライアント端末２１、３１の間に第３ルーティングセッションが確立される。
【０１０８】
図２０を参照する。クライアント端末２１と中継サーバ２２との間に、メディアセッションが確立される（ステップＳ５２、Ｓ５３、およびＳ５４）。中継サーバ２２、３３の間にメディアセッションが確立される（ステップＳ５５、Ｓ５５．１、Ｓ５６、Ｓ５６．１、およびＳ５７）。クライアント端末３１と中継サーバ３３との間にメディアセッションが確立される（ステップＳ５８、Ｓ５９、およびＳ６０）。ステップＳ５４、Ｓ５７、およびＳ６０で確立された三つのメディアセッションにより、第３ルーティングセッションが構成される。
【０１０９】
＜５．４．通信パケットのルーティング制御＞
許可端末情報９１３−１〜９１３−３に設定された通信端末同士は、第１〜第３ルーティングセッションを介して、直接ＩＰアドレスを指定した通信を行うことができる。
【０１１０】
図２１を参照する。一般端末１６が、一般端末２３を宛先とした第１通信パケットを送出する（ステップＳ６１）。クライアント端末１１は、第１通信パケットを受信した場合、ルーティンググループ情報９１を参照して、第１通信パケットのルーティングの可否を判定する。
【０１１１】
まず、クライアント端末１１は、ルーティング対象情報９１２に基づいて、第１通信パケットをルーティングできるかどうかを判定する。第１通信パケットの宛先（一般端末２３）のＩＰアドレス「１９２．１００．１．１５０」が、ネットワーク情報９１２−２に設定されたＬＡＮ２のネットワークアドレスに対応する。送信元（一般端末１６）のＩＰアドレス「１９２．１６８．２．１５０」が、ネットワーク情報９１２−１に設定されたＬＡＮ１０−２のネットワークアドレスに対応する。このため、クライアント端末１１は、第１通信パケットをルーティングできると判断する。
【０１１２】
次に、クライアント端末１１は、ルーティング許可情報９１３を参照して、第１通信パケットのルーティングが許可されているかどうかを確認する。第１通信パケットの送信元（一般端末１６）のＩＰアドレスが許可端末情報９１３−１に設定され、宛先（一般端末２３）のＩＰアドレスが許可端末情報９１３−２に設定されている。このため、クライアント端末１１は、第１通信パケットのルーティングが許可されていると判断する。なお、ルーティングの可否の判断が、第１通信パケットの送信元のＩＰアドレスおよび宛先のＩＰアドレスのいずれか一方に基づいて行われてもよい。
【０１１３】
クライアント端末１１は、ネットワーク情報９１２−２とポイント情報９１４−１とにクライアント端末２１の識別情報が設定されていることから、第１通信パケットのルーティングに第１ルーティングセッションを用いることを決定する。そして、第１通信パケットが、第１ルーティングセッションを利用して送出される（ステップＳ６２、Ｓ６２．１、およびＳ６２．１．１）。クライアント端末２１は、第１ルーティングセッションを介して受信した第１通信パケットを、一般端末２３に転送する（ステップＳ６３）。
【０１１４】
第１通信パケットは、第１ルーティングセッションを利用して転送される際に、カプセル化されるため、一般端末１６、２３は、クライアント端末１１からクライアント端末２１までのネットワークの経路を意識することなく通信できる。つまり、一般端末１６、２３は、プライベートＩＰアドレスを利用して、ＷＡＮ１００を介して相互に通信することができる。
【０１１５】
次に、一般端末１６が、一般端末３６を宛先とした第２通信パケットを送出する（ステップＳ６４）。第２通信パケットの宛先が、ネットワーク情報９１２−３に対応し、送信元がネットワーク情報９１２−１に対応することから、クライアント端末１１は、第２通信パケットをルーティングできると判断する。また、第２通信パケットの宛先（一般端末３６）のＩＰアドレス「２００．１．２．１５０」が、許可端末情報９１３−３に設定された「２００．１．２．＊」に対応し、送信元が許可端末情報９１３−１に対応する。このため、クライアント端末１１は、第２通信パケットのルーティングが許可されていると判断し、第２通信パケットを第２ルーティングセッションを利用して送出する（ステップＳ６５、Ｓ６５．１、およびＳ６５．１．１）。クライアント端末２１は、第２通信パケットを一般端末３６に転送する（ステップＳ６６）。
【０１１６】
次に、一般端末２３が、一般端末３６を宛先とした第３通信パケットを送出する（ステップＳ６７）。第３通信パケットの宛先がネットワーク情報９１２−３に対応し、送信元がネットワーク情報９１２−２に対応する。また、第３通信パケットの宛先が許可端末情報９１３−３に対応し、送信元が許可端末情報９１３−２に対応する。このため、クライアント端末２１は、受信した第３通信パケットをルーティング可能であると判定し、第３ルーティングセッションを利用して送出する（ステップＳ６８、Ｓ６８．１、およびＳ６８．１．１）。クライアント端末３１は、第３通信パケットを一般端末３６に送信する（ステップＳ６９）。
【０１１７】
このように、本実施の形態に係るルーティング機能は、相互に通信できるクライアント端末間で、ルーティンググループ情報を共有することで有効化される。そして、ルーティングのために確立された第１〜第３のルーティングセッションを用いて、中継通信システムの機能によってＩＰパケットのルーティング制御が行われる。このように、本実施の形態で有効されるルーティングは、アプリケーション層において実行されるルーティングであり、通常のＩＰルーティングとは異なる。
【０１１８】
また、本実施の形態では、「クライアント端末」および「一般端末」という文言の他に、敢えて「通信端末」という文言を使用している。「クライアント端末」は、中継サーバにログオン可能な端末であり、「一般端末」は、中継サーバにログオンすることができない端末であるのに対して、「通信端末」は、「中継サーバ」と、「クライアント端末」と、「一般端末」とを含むすべての端末を示している。これは、中継サーバと、中継サーバにログオンしているクライアント端末とに限定されることなく、ＬＡＮ１〜３に接続され、許可端末情報に登録された「通信端末」は、上記のルーティングセッションを利用してルーティング可能となるからである。
【０１１９】
以上説明したように、本実施の形態の中継通信システムは、ルーティンググループ情報９１を用いて、クライアント端末をルーティング装置として機能させることができる。したがって、中継通信システムを用いたルーティング制御を柔軟に実行することができる。
【０１２０】
また、ルーティング機能を利用できる通信端末をルーティング許可情報９１３に登録することにより、ルーティングする通信パケットを制限することができる。このため、中継通信システムのルーティング機能を利用できる通信端末の管理が容易となる。
【０１２１】
＜６．ルーティング制御の流れ（第２の実施の形態）＞
第２の実施の形態に係るルーティング制御について説明する。本実施の形態において、ＬＡＮ１〜３の構成は、図１６に示す構成と同様である。
【０１２２】
本実施の形態では、中継サーバ１３がルーティング装置として機能する点と、ルーティング制御の終了処理が行われる点が、上記第１の実施の形態と異なる。以下、上記第１の実施の形態と異なる点を中心に説明する。
【０１２３】
中継サーバ１３は、第２ルーティンググループの構築の指示に応じて、ルーティンググループ情報９２を作成する。なお、中継サーバ１３の制御部１３２は、クライアント端末１１の制御部１１２と同様の構成である。
【０１２４】
図２２は、ルーティンググループ情報９２を示す図である。ルーティング対象情報９２２のネットワーク情報９２２−１では、「ａｄｄｒ」にＬＡＮ１０−１のネットワークアドレスが、「ｒｏｕｔｅｒ」に中継サーバ１３の識別情報が設定される。ネットワーク情報９２２−２では、「ａｄｄｒ」にＬＡＮ３０−３のネットワークアドレスが、「ｒｏｕｔｅｒ」にクライアント端末３２の識別情報が設定される。
【０１２５】
ルーティング許可情報９２３の許可端末情報９２３−１には、一般端末１５のＩＰアドレス「１９２．１６８．１．１５０」が設定されている。許可端末情報９２３−２には、ＬＡＮ３０−３に接続される全通信端末を示す「２００．１．３．＊」が設定されている。セッション情報９２４のポイント情報９２４−１は、第４ルーティングセッションに対応し、「ｓｔａｒｔ」、「ｅｎｄ」に中継サーバ１３、クライアント端末３２の識別情報が設定されている。
【０１２６】
以下、図２３を参照する。ルーティンググループ情報９２が、ＳＩＰサーバ１０１と中継サーバ３３とを介して、クライアント端末３２に転送される（ステップ７０、Ｓ７０．１、およびＳ７０．１．１）。これにより、中継サーバ３３と、ルーティング装置として機能する中継サーバ１３およびクライアント端末３２とが、ルーティンググループ情報９２を共有する。
【０１２７】
ルーティンググループ情報９２に基づいて、中継サーバ１３とクライアント端末３２との間に第４ルーティングセッションが確立される。中継サーバ１３、３３の間にメディアセッションが確立される（ステップＳ７１、Ｓ７１．１、ステップＳ７２、Ｓ７２．１およびＳ７３）。クライアント端末３２と中継サーバ３３との間に、メディアセッションが確立される（ステップＳ７４、Ｓ７５、およびＳ７６）。ステップＳ７３、Ｓ７６で確立された二つのメディアセッションにより、第４ルーティングセッションが構成される。
【０１２８】
次に、一般端末１５が、一般端末３７を宛先とした第４通信パケットを送出する（ステップＳ７７）。第４通信パケットの宛先は、ネットワーク情報９２２−２に対応し、送信元は、ネットワーク情報９２２−１に対応している。また、第４通信パケットの宛先が許可端末情報９２３−２に対応し、送信元が許可端末情報９２３−１に対応している。このため、中継サーバ１３は、受信した第４通信パケットをルーティング可能と判定し、第４ルーティングセッションを利用してクライアント端末３２に転送する（ステップＳ７８、Ｓ７８．１）。クライアント端末３２は、第４通信パケットを一般端末３７に転送する（ステップＳ７９）。
【０１２９】
図２４を参照して、ルーティング終了の流れについて説明する。クライアント端末３２は、ルーティンググループ情報９２に基づくルーティングの終了指示に応じて、ルーティンググループ情報９２を削除する。終了指示が、中継サーバ３３とＳＩＰサーバ１０１とを介して中継サーバ１３に送信される（ステップＳ８０、Ｓ８０．１、およびＳ８０．１．１）。中継サーバ１３は、終了指示に基づいて、ルーティンググループ情報９２を削除する。
【０１３０】
クライアント端末３２は、終了指示の応答を受信した場合、第４ルーティングセッションの切断要求を中継サーバ３３に送信する（ステップＳ８１）。切断要求に基づいて、第４ルーティングセッションのうち、クライアント端末３２と中継サーバ３３との間のメディアセッションが切断される。中継サーバ３３が、第４ルーティングセッションの切断要求を、ＳＩＰサーバ１０１を介して中継サーバ１３に送信する（ステップＳ８２、Ｓ８２．１）。切断要求に基づいて、第４ルーティングセッションのうち、中継サーバ１３、３３の間のメディアセッションが切断される。これにより、ルーティンググループ情報９２に基づくルーティング処理が終了する。
【０１３１】
ルーティング処理の終了に伴って、一般端末１５、３７間の通信は不可能となる。一般端末１５が第４通信パケットを送出しても（ステップＳ８３）、中継サーバ１３は、ルーティンググループ情報９２を保持していないため、受信した第４通信パケットの宛先を認識することができない。このため、中継サーバ１３は、一般端末１５に対して宛先到達不能を通知する。
【０１３２】
このように、本実施の形態では、中継サーバ１３をルーティング装置として機能させることができる。また、終了指示に応じて、第４ルーティングセッションが切断されるため、中継通信システムのルーティング機能の管理がさらに容易になる。
【０１３３】
＜７．ルーティング処理の流れ（第３の実施の形態）＞
第３の実施の形態に係るルーティング処理について説明する。ＬＡＮ１〜３の構成は、図１６に示す構成と同様である。本実施の形態では、ルーティンググループ情報の変更に伴って、ルーティングセッションの構成が変更される。以下、上記第１、第２の実施の形態と異なる点を中心に説明する。
【０１３４】
まず、クライアント端末３１が、ユーザの指示に応じて、ルーティンググループ情報９１をルーティンググループ情報９３に更新する。
【０１３５】
図２５は、ルーティンググループ情報９３を示す図である。ルーティンググループ情報９２からの変更箇所に、下線を付している。本体情報９３１および「ｌａｓｔｍｏｄ」が設定されたタグにおいて、最終更新時刻が変更されている。
【０１３６】
ルーティング対象情報９３２において、ネットワーク情報９１２−１、９１２−３は変更されていない。ネットワーク情報９１２−２に代えて、「ａｄｄｒ」にＬＡＮ３０−３のネットワークアドレスが、「ｒｏｕｔｅｒ」にクライアント端末３２の識別情報が登録されたネットワーク情報９３２−１が設定されている。
【０１３７】
ルーティング許可情報９３３において、許可端末情報９１３−１、９１３−３は、「ｌａｓｔｍｏｄ」が変更されている。許可端末情報９１３−２に代えて、「ａｄｄｒ」にＬＡＮ３０−３の全通信端末を示す「２００．１．３．＊」が登録された許可端末情報９３３−１が設定されている。
【０１３８】
セッション情報９３４において、ポイント情報９１４−２は、変更されていない。ポイント情報９１４−１に代えて、第５ルーティングセッションに対応し、「ｓｔａｒｔ」および「ｅｎｄ」にクライアント端末１１、３２の識別情報が登録されたポイント情報９３４−１が設定されている。ポイント情報９１３−３に代えて、第６ルーティングセッションに対応し、「ｓｔａｒｔ」および「ｅｎｄ」にクライアント端末３１、３２の識別情報が登録されたポイント情報９３４−２が設定されている。
【０１３９】
図２６を参照する。クライアント端末３１は、ルーティンググループ情報９２の変更通知として、ルーティンググループ情報９３を中継サーバ３３に送信する（ステップＳ８３）。中継サーバ３３は、ネットワーク情報９１２、９３２の「ｒｏｕｔｅｒ」に識別情報が設定されたクライアント端末に、変更通知としてルーティンググループ情報９３を転送する。ルーティンググループ情報９３が、ＳＩＰサーバ１０１と中継サーバ１３とを介してクライアント端末１１に送信される（ステップＳ８３．１、Ｓ８３．１．１、およびＳ８３．１．１．１）。ルーティンググループ情報９３が、ＳＩＰサーバ１０１から中継サーバ２２を介して、クライアント端末２１に転送される（ステップＳ８３．１．２、Ｓ８３．１．２．１）。また、中継サーバ３３は、ルーティンググループ情報９３をクライアント端末３２に送信する（ステップＳ８３．２）。
【０１４０】
ルーティンググループ情報９３への更新に基づく、第１、第３ルーティングセッションの切断について説明する。クライアント端末１１は、ルーティンググループ情報９３を参照して、第１ルーティングセッションに対応するポイント情報９１４−１が削除されたことを確認する。そして、第１ルーティングセッションが切断される（ステップＳ８４、Ｓ８５、Ｓ８５．１およびＳ８６）。クライアント端末２１は、ルーティングループ情報９３を参照して、自端末がルーティング対象情報９３２に登録されていないことを確認する。そして、第３ルーティングセッションが切断される（ステップＳ８７、Ｓ８８、Ｓ８８．１およびＳ８９）。
【０１４１】
なお、ポイント情報９１４−２はルーティンググループ情報９３に設定された状態のため、クライアント端末１１、３１の間に確立された第２ルーティングセッションは維持される。
【０１４２】
図２７を参照する。クライアント端末１１、３２の間に第５ルーティングセッションを確立するために、クライアント端末１１と中継サーバ１３との間にメディアセッションが確立される（ステップＳ９０、Ｓ９１、およびＳ９２）。中継サーバ１３、３３の間にメディアセッションが確立される（ステップＳ９３、Ｓ９３．１、Ｓ９４、Ｓ９４．１およびＳ９５）。クライアント端末３２と中継サーバ３３との間にメディアセッションが確立される（Ｓ９６、Ｓ９７、およびＳ９８）。ステップＳ９２、Ｓ９５、およびＳ９６で確立された三つのメディアセッションが、第５ルーティングセッションを構成する。
【０１４３】
次に、クライアント端末３１、３２の間に第６ルーティングセッションを確立するために、クライアント端末３１と中継サーバ３３との間にメディアセッションが確立される（ステップＳ９９、Ｓ１００、およびＳ１０１）。クライアント端末３２と中継サーバ３３との間にメディアセッションが確立される（Ｓ１０２、Ｓ１０３、およびＳ１０４）。ステップＳ１０１およびＳ１０４で確立された二つのメディアセッションが、第６ルーティングセッションを構成する。
【０１４４】
図２８を参照して、第５、第６ルーティングセッションを利用したルーティング処理について説明する。一般端末３７が、一般端末１６を宛先とした第５通信パケットを送出する（ステップＳ１０５）。第５通信パケットの宛先がネットワーク情報９１２−１に対応し、送信元がネットワーク情報９３２−１に対応する。また、第５通信パケットの宛先が許可端末情報９１３−１に対応し、送信元（一般端末３７）のＩＰアドレス「２００．１．３．２５０」が、許可端末情報９３３−１に設定された「２００．１．３．＊」に対応している。このため、クライアント端末３２は、受信した第５通信パケットをルーティング可能と判断し、第５ルーティングセッションを利用してクライアント端末１１に転送する（ステップＳ１０６、Ｓ１０６．１、およびＳ１０６．１．１）。クライアント端末１１は、第５通信パケットを一般端末１５に転送する（ステップＳ１０７）。
【０１４５】
次に、一般端末３６が、一般端末３７を宛先とした第６通信パケットを送出する（ステップＳ１０８）。第６通信パケットの宛先がネットワーク情報９３２−１に対応し、送信元がネットワーク情報９１２−３に対応する。また、第６通信パケットの宛先が許可端末情報９３３−１に対応し、送信元が許可端末情報９１３−３に対応する。このため、クライアント端末３１は、受信した第６通信パケットをルーティング可能と判断し、第６ルーティングセッションを利用してクライアント端末３２に転送する（ステップＳ１０９、Ｓ１０９．１）。クライアント端末３２は、第６通信パケットを一般端末３７に転送する（ステップＳ１１０）。
【０１４６】
このように、本実施の形態に係る中継通信システムは、ルーティングループ情報９２をルーティンググループ情報９３に変更することにより、ルーティングセッションの構成を動的に変更することができる。
【０１４７】
＜８．クライアント端末の動作＞
ここでは、ルーティング装置として機能するクライアント端末の動作について、図２９〜図３１を用いて説明する。以下の説明は、中継サーバ１３にも適用される。
【０１４８】
＜８．１．ルーティング処理の開始＞
図２９は、ルーティング処理を開始する流れを示すフローチャートである。ここでは、クライアント端末１１を例にして説明する。
【０１４９】
クライアント端末１１は、第１ルーティンググループの構築の指示に応じて、ルーティンググループ情報９１を新たに作成する（ステップＳ２０１）。この時点では、ネットワーク情報、許可端末情報、ポイント情報は、ルーティンググループ情報９１に設定されていない。
【０１５０】
ＬＡＮのネットワークアドレスと、ルーティング装置として機能するクライアント端末の識別情報が設定された場合（ステップＳ２０２においてＹｅｓ）、ルーティンググループ情報９１に、ネットワーク情報が追加される（ステップＳ２０３）。ルーティング機能を利用が許可された通信端末が設定された場合（ステップＳ２０４においてＹｅｓ）、ルーティンググループ情報９１に、許可端末情報が追加される（ステップＳ２０５）。
【０１５１】
設定終了が指示された場合（ステップＳ２０６においてＹｅｓ）、各ネットワーク情報に登録されたクライアント端末を始点および終点に設定することにより、ポイント情報が作成され（ステップＳ２０７）、ルーティンググループ情報９１に追加される。
【０１５２】
これにより、ルーティンググループ情報９１は、図１８に示す状態となる。ルーティンググループ情報９１は、第１ルーティンググループの構築を通知するために、中継サーバ１３に送信される（ステップＳ２０８）。この処理は、ステップＳ３１に対応している（図１７参照）。
【０１５３】
次に、クライアント端末１１が、ルーティングセッションの確立を要求するルーティングコマンドを送信することにより（ステップＳ２０９）、ルーティングセッションが確立される（ステップＳ２１０）。ステップＳ２０９、Ｓ２１０の処理がポイント情報の数に応じて繰り返されることで、第１〜第３ルーティングセッションが確立される。ステップＳ２０９の処理は、ステップＳ３１〜Ｓ３３（図１７参照）などに対応し、ステップＳ２１０の処理は、ステップＳ３４〜Ｓ４２（図１７参照）などに対応する。クライアント端末１１は、ルーティングセッションを用いたルーティングを開始する（ステップＳ２１１）。
【０１５４】
＜８．２．ルーティング処理の終了＞
図３０は、ルーティング処理の終了時のクライアント端末の動作を示す図である。ここでは、第２ルーティンググループに基づくルーティング処理（第２の実施の形態）を実行しているクライアント端末３２を例にして説明する。
【０１５５】
まず、クライアント端末３２のユーザが、ルーティンググループ情報９２に基づくルーティング処理の終了を指示する。クライアント端末３２は、終了対象としてルーティンググループ情報９２が選択されているため（ステップＳ３０１においてＹｅｓ）。第４ルーティングセッションを用いたルーティング処理を停止する（ステップＳ３０２）。
【０１５６】
クライアント端末３２は、ルーティンググループ情報９２の削除コマンドを、ネットワーク情報９２２−２に登録された中継サーバ１３に送信する（ステップＳ３０３）。この処理は、ステップＳ８０〜Ｓ８０．１．１（図２４参照）に対応する。クライアント端末３２は、ルーティンググループ情報９２を削除する（ステップＳ３０４）。そして、第４ルーティングセッションが切断される（ステップＳ３０５）。この処理は、ステップＳ８１〜Ｓ８２．１（図２４参照）に対応する。
【０１５７】
＜８．３．パケット受信処理＞
図３１は、ルーティングセッションが確立されている状態におけるクライアント端末の動作を示す図である。ここでは、クライアント端末１１を例にして説明する。
【０１５８】
クライアント端末１１は、通信パケットを受信した場合、通信パケットを解析し（ステップＳ４０１）、通信パケットがルーティングパケットであるかどうかを判定する（ステップＳ４０２）。通信パケットがルーティングパケットでないならば（ステップＳ４０２においてＮｏ）、クライアント端末１１は、通常のパケット受信処理を行う（ステップＳ４０３）。
【０１５９】
通信パケットがルーティングパケットであるならば（ステップＳ４０２においてＹｅｓ）、クライアント端末１１は、通信パケットの宛先ＩＰアドレスと送信元ＩＰアドレスとを検出する（ステップＳ４０４）。ルーティンググループ情報９１を保持していない場合（ステップＳ４０５においてＮｏ）、クライアント端末１１は、通信パケットの送信元に宛先到達不能を通知する（ステップＳ４０６）。
【０１６０】
ルーティンググループ情報９１を保持している場合（ステップＳ４０５においてＹｅｓ）、クライアント端末１１は、ルーティンググループ情報９１を読み込み（ステップＳ４０７）、通信パケットがルーティング条件に合致するかどうかを確認する（ステップＳ４０８）。
【０１６１】
下記の第１条件および第２条件を満たす場合、通信パケットがルーティング条件を満たすと判定される。第１条件は、通信パケットの宛先ＩＰアドレスおよび送信元ＩＰアドレスがネットワーク情報９１２−１〜９１２−３のいずれかに設定されていることである。第２条件は、通信パケットの宛先ＩＰアドレスおよび送信元ＩＰアドレスが、許可端末情報９１３−１〜９１３−３のいずれかに対応していることである。
【０１６２】
通信パケットがルーティング条件を満たしていれば（ステップＳ４０８においてＹｅｓ）、クライアント端末１１は、通信パケットを転送するルーティングセッションを選択し（ステップＳ４０９）、通信パケットを選択したルーティングセッションに送出する（ステップＳ４１０）。一方、通信パケットがルーティング条件を満たしていない場合（ステップＳ４０８においてＮｏ）。クライアント端末１１は、宛先到達不能を送信元に通知する（ステップＳ４０６）。
【０１６３】
以上説明したように、本発明に係る中継通信システムは、ルーティングに必要なルーティングセッションに関するルーティンググループ情報に基づいて、ＷＡＮ１００を介した通信端末間の通信パケットをルーティングする。ルーティング装置として機能するクライアント端末および中継サーバがルーティングループ情報に基づいてルーティングセッションを確立することができるため、中継通信システムのルーティング機能の管理が容易となる。
【０１６４】
また、通信パケットをルーティングするかどうかを、ルーティンググループ情報の許可端末情報に設定されたＩＰアドレスと、通信パケットの送信元ＩＰアドレスおよび宛先ＩＰアドレスとに基づいて判定する。したがって、中継通信システムのルーティング機能を利用できる通信端末を、容易に管理することができる。
【符号の説明】
【０１６５】
１，２，３  ＬＡＮ
１１，１２，２１，３１，３２  クライアント端末
１５、１６、２３、３６、３７  一般端末
１３，２２，３３  中継サーバ
１００  ＷＡＮ
１０１  ＳＩＰサーバ
１３１  インタフェース部
１３２  制御部
１１５、１３３  データベース格納部
１１７、１３４  中継グループ情報格納部
１１８、１３５  中継サーバ情報格納部
１１９、１３７  ルーティンググループ情報格納部
１３６  クライアント端末情報格納部
【図１】
2010268312.tif 000003
【図２】
2010268312.tif 000004
【図３】
2010268312.tif 000005
【図４】
2010268312.tif 000006
【図５】
2010268312.tif 000007
【図６】
2010268312.tif 000008
【図７】
2010268312.tif 000009
【図８】
2010268312.tif 000010
【図９】
2010268312.tif 000011
【図１０】
2010268312.tif 000012
【図１１】
2010268312.tif 000013
【図１２】
2010268312.tif 000014
【図１３】
2010268312.tif 000015
【図１４】
2010268312.tif 000016
【図１５】
2010268312.tif 000017
【図１６】
2010268312.tif 000018
【図１７】
2010268312.tif 000019
【図１８】
2010268312.tif 000020
【図１９】
2010268312.tif 000021
【図２０】
2010268312.tif 000022
【図２１】
2010268312.tif 000023
【図２２】
2010268312.tif 000024
【図２３】
2010268312.tif 000025
【図２４】
2010268312.tif 000026
【図２５】
2010268312.tif 000027
【図２６】
2010268312.tif 000028
【図２７】
2010268312.tif 000029
【図２８】
2010268312.tif 000030
【図２９】
2010268312.tif 000031
【図３０】
2010268312.tif 000032
【図３１】
2010268312.tif 000033